(57)【要約】【課題】検査用の撮影にも対応することができる乳房画像撮影システムを提供する。【解決手段】診察モード時、乳房画像撮影装置１０の撮影部が撮影を行った後、制御部が撮影実施情報を生成し、これをカセッテＩＤの情報とともに制御装置３０に送信する。読取装置５０はカセッテから読み出した乳房画像とカセッテＩＤの情報を制御装置３０に送信する。制御装置３０の制御部はカセッテＩＤの情報に基づいて撮影実施情報、撮影オーダ情報、乳房画像の対応付けを行う。検査モード時、乳房画像撮影装置１０の制御部は撮影ごとに撮影実施情報は生成せず、制御装置３０にはカセッテＩＤの情報も送信しない。制御装置３０の制御部は読取装置５０から乳房画像が入力されても上記対応付けを行わず、入力された乳房画像をその生成順に表示部に表示させる。【選択図】図１
2008220481.tif 000002
【特許請求の範囲】
【請求項１】
放射線を照射して患者の乳房画像を撮影し、当該乳房画像をカセッテに記録する撮影手段と、前記撮影の実施結果を示す撮影実施情報を生成する情報生成手段と、前記撮影に用いたカセッテの識別情報を読み取る読取手段とを備えた乳房画像撮影装置と、
前記乳房画像が記録されたカセッテから乳房画像及びカセッテの識別情報を読み取る読取装置と、
撮影オーダ情報を記憶するオーダ記憶手段と、前記乳房画像撮影装置により生成された撮影実施情報、前記乳房画像撮影装置及び前記読取装置により読み取られたカセッテの識別情報に基づいて、前記撮影オーダ情報、撮影実施情報及び乳房画像を対応付けて前記記憶手段に記憶させる制御手段とを備える制御装置と、を含み、
撮影時の動作モードとして診察用に撮影を行う診察モードと、生体検査用に撮影を行う検査モードとを有する乳房画像撮影システムであって、
前記制御装置の制御手段は、前記診察モードのときのみ、前記生成された撮影実施情報を用いて前記対応付けを行うことを特徴とする乳房画像撮影システム。
【請求項２】
前記制御装置の制御手段は、前記検査モードのとき、前記読取装置によって読み取られた乳房画像をその生成順に表示する表示手段を備えることを特徴とする請求項１に記載の乳房画像撮影システム。
【請求項３】
前記制御装置の制御手段は、前記検査モードのとき、前記乳房画像撮影装置により生成された撮影実施情報を無効とすることを特徴とする請求項１又は２に記載の乳房画像撮影システム。
【請求項４】
前記乳房画像撮影装置の情報生成手段は、前記検査モードのとき、前記撮影実施情報の生成を停止することを特徴とする請求項１又は２に記載の乳房画像撮影システム。
【発明の詳細な説明】
【技術分野】
【０００１】
本発明は、乳房画像を撮影する乳房画像撮影システムに関する。
【背景技術】
【０００２】
カセッテを用いて撮影を行う乳房画像撮影システムは、カセッテに撮影した乳房画像を記録する乳房画像撮影装置と、カセッテから乳房画像を読み取ってそのデータを生成する読取装置と、この生成された乳房画像のデータを保存、管理する制御装置を基本構成としている。制御装置には予めＨＩＳ（Hospital Information System）等から送信された撮影オーダ情報が保存されている。撮影オーダ情報とは撮影の内容を指示する情報であり、撮影対象の患者氏名、性別等の患者情報の他、撮影部位や撮影方法等の撮影情報、検査に関する検査情報等から構成されている。
【０００３】
乳房画像の撮影においては、一患者につき左右の乳房を撮影方向を変えて複数回撮影することが一般的である。撮影時のＸ線爆射量や撮影部位、撮影方向等の撮影実施情報を保存することにより、撮影記録を残す必要がある。
【０００４】
従来から、乳房画像撮影装置において撮影を行うごとに撮影実施情報を生成し、制御装置において当該撮影実施情報とその内容が一致する撮影オーダ情報を判別して、一致する撮影実施情報と撮影オーダ情報とを自動的に対応付けて保存するシステムが開示されている（例えば、特許文献１参照）。
【特許文献１】特開２００５−３０５１３７号公報
【発明の開示】
【発明が解決しようとする課題】
【０００５】
一方、バイオプシーと呼ばれる生体検査のための撮影（以下、バイオプシー撮影という）が行われることがある。バイオプシーは、乳房内に針を挿入して病巣と疑わしい部分の生体組織を採取するものである。針の挿入位置を正確に病巣部分に定めるため、バイオプシー撮影によって事前に撮影を行い、位置決めするのである。
【０００６】
バイオプシー撮影には、１回の撮影を行うスカウト撮影と、複数回（通常は２回）の撮影を行うステレオ撮影とがあり、左右何れかの乳房に対してスカウト撮影及びステレオ撮影を行うことが一般的である。
カセッテを用いた撮影では、カセッテの位置をずらすことにより、１つのカセッテで複数回の撮影が可能であるため、ステレオ撮影の場合は、１つのカセッテを用いて複数回撮影を行う。この場合、カセッテからの読取画像には複数回の撮影分の乳房画像が含まれることとなる。
【０００７】
つまり、ステレオ撮影の場合、乳房画像撮影装置では複数回撮影が行われ、それに対応して複数の撮影実施情報が制御装置に出力されるのに対し、読取装置からは１つの読取画像しか得られないこととなる。そのため、制御装置では余分な撮影実施情報の対応付けができず、処理エラーが生じることとなる。
【０００８】
本発明の課題は、検査用の撮影にも対応することができる乳房画像撮影システムを提供することである。
【課題を解決するための手段】
【０００９】
請求項１に記載の発明は、
放射線を照射して患者の乳房画像を撮影し、当該乳房画像をカセッテに記録する撮影手段と、前記撮影の実施結果を示す撮影実施情報を生成する情報生成手段と、前記撮影に用いたカセッテの識別情報を読み取る読取手段とを備えた乳房画像撮影装置と、
前記乳房画像が記録されたカセッテから乳房画像及びカセッテの識別情報を読み取る読取装置と、
撮影オーダ情報を記憶するオーダ記憶手段と、前記乳房画像撮影装置により生成された撮影実施情報、前記乳房画像撮影装置及び前記読取装置により読み取られたカセッテの識別情報に基づいて、前記撮影オーダ情報、撮影実施情報及び乳房画像を対応付けて前記記憶手段に記憶させる制御手段とを備える制御装置と、を含み、
撮影時の動作モードとして診察用に撮影を行う診察モードと、生体検査用に撮影を行う検査モードとを有する乳房画像撮影システムであって、
前記制御装置の制御手段は、前記診察モードのときのみ、前記生成された撮影実施情報を用いて前記対応付けを行うことを特徴とする。
【００１０】
請求項２に記載の発明は、請求項１に記載の乳房画像撮影システムにおいて、
前記制御装置の制御手段は、前記検査モードのとき、前記読取装置によって読み取られた乳房画像をその生成順に表示する表示手段を備えることを特徴とする。
【００１１】
請求項３に記載の発明は、請求項１又は２に記載の乳房画像撮影システムにおいて、
前記制御装置の制御手段は、前記検査モードのとき、前記乳房画像撮影装置により生成された撮影実施情報を無効とすることを特徴とする。
【００１２】
請求項４に記載の発明は、請求項１又は２に記載の乳房画像撮影システムにおいて、
前記乳房画像撮影装置の情報生成手段は、前記検査モードのとき、前記撮影実施情報の生成を停止することを特徴とする。
【発明の効果】
【００１３】
請求項１、３、４に記載の発明によれば、診察モードのときのみ、撮影実施情報を用いて乳房画像、撮影オーダ情報との対応付けを行うので、検査モード時に撮影実施情報を用いた対応付けを行わない構成とすることができる。バイオプシーのための検査撮影では、１つのカセッテで複数回撮影を行うことがあり、このような場合には１つの乳房画像について複数の撮影実施情報が生成されることとなる。これでは、乳房画像と撮影実施情報、撮影オーダ情報との対応関係が１対１とならないため、対応付けができずエラーを生じる。そこで、検査用の撮影を行う際には検査モードに設定することにより、撮影実施情報を用いた対応付けを行わないようにすることができ、エラーの発生を回避することができる。
【００１４】
請求項２に記載の発明によれば、検査モードの際には乳房画像を生成順に表示するので、撮影技師等は検査撮影により得られた乳房画像を確認することができる。バイオプシーのための検査撮影には、１つのカセッテで１回撮影を行うスカウト撮影と、１つのカセッテで複数回撮影を行うステレオ撮影とがあり、それら撮影による乳房画像は乳房画像内に含まれる照射野領域の数が異なる。よって、目視により乳房画像はスカウト撮影によるものかステレオ撮影によるものかを容易に判別することが可能である。よって、上記のように表示することにより目視による確認が可能となる。
【発明を実施するための最良の形態】
【００１５】
〈第１実施形態〉
第１実施形態では、カセッテを用いて撮影を行う乳房画像撮影システムについて説明する。
【００１６】
まず、構成を説明する。
図１に、本実施形態における乳房画像撮影システム１００のシステム構成を示す。
図１に示すように、乳房画像撮影システム１００は、乳房画像撮影装置１０、制御装置３０、読取装置５０を備えて構成されている。乳房画像撮影装置１０は撮影室に、制御装置３０及び読取装置５０は操作室に設置され、制御装置３０には乳房画像撮影装置１０及び読取装置５０が相互に情報の送受信が可能なように接続されている。
【００１７】
乳房画像撮影装置１０は、患者の乳房を被写体として放射線を照射し、乳房の放射線画像（乳房画像）を撮影するものである。本実施形態では、カセッテを用いて位相コントラスト撮影を行うタイプの撮影装置を適用した場合を説明する。位相コントラスト撮影とは、被写体とカセッテとの間に距離を設ける拡大撮影の一種であり、乳房画像におけるエッジが鮮明となるように放射線源５、被写体、カセッテ間の距離を調整するものである。
【００１８】
図２に、乳房画像撮影装置１０を示す。
図２に示すように、乳房画像撮影装置１０は、放射線を照射して撮影を行う撮影部１と支柱２と、本体部３とから構成されている。撮影部１は患者の乳房の位置に応じて高さを調整できるように支柱２に沿って（矢印Ａで示す方向に）昇降可能に構成されている。さらに撮影方向を変更するために支持軸４を軸として（矢印Ｂで示す方向に）回転可能に構成されている。回転は、撮影技師が手動で回転させることも可能であるし、本体部３を操作して回転を指示することも可能である。
【００１９】
撮影部１には、放射線を発生する放射線源５と、乳房を載置するための撮影台６とが対向配置され、撮影台６に載置された乳房を挟み込むことにより乳房を圧迫するための圧迫板７が備えられる。撮影台６は上下に２台設けられ、上側の撮影台６は通常の密着撮影に、下側の撮影台６は位相コントラスト撮影に用いられる。
【００２０】
何れの撮影台６にも、図３に示すようにカセッテｃの識別情報であるカセッテＩＤを読み取るためのＩＤ読取部３ｆが設けられる。カセッテｃにはカセッテＩＤを示すバーコード等が表示されており、ＩＤ読取部３ｆはカセッテｃを撮影台６に装着したときにカセッテＩＤの表示部分ｃ１と対応する位置に設けられる。なお、これらがカセッテ挿入方向奥側の一辺に設けられるのは、被写体の配置位置と重複しないようにするためである。
【００２１】
また、撮影部１の内部には、支持軸４を回転軸として撮影部１が回転された角度を検出するための角度検出部８が備えられている。角度検出部８は撮影時に検出された回転角度の情報を本体部３に出力可能な構成となっている。
【００２２】
次に、図４を参照して、本体部３の内部構成を説明する。
図４に示すように、本体部３は、制御部３ａ、入力部３ｂ、表示部３ｃ、メモリ３ｄ、通信部３ｅ、ＩＤ読取部３ｆから構成される。
【００２３】
制御部３ａは、ＣＰＵ（Central Processing Unit）、ＲＡＭ（Random Access Memory）等から構成され、メモリ３ｄに記憶された制御プログラムとの協働により、例えば放射線源５における放射線照射タイミングや爆射量の調整、撮影部１の回転制御等、乳房画像撮影装置１０の各部の撮影動作を統括的に制御する。
【００２４】
また、制御部３ａは、撮影後に撮影部１から撮影の実施結果を示す情報を取得して撮影実施情報を生成する。撮影実施情報は、例えば放射線源５における管電圧（単位；ｋＶ）、管電流（単位；ｍＡ）の値、放射線爆射量（管電流値と爆射時間（秒）との積で示す。単位；ｍＡｓ）、圧迫板７による圧迫圧（圧迫板７の移動距離で示す。単位；ｍｍ）、撮影部位及び撮影方向（文字コードで示す。撮影部位コードであればＲ：右乳房、Ｌ：左乳房。撮影方向コードであればＣＣ：上下方向、Ｍ：内外方向、ＭＬＯ：斜位方向）等の情報を含む。制御部３ａは、この撮影実施情報とともにＩＤ読取部３ｆから取得されたカセッテＩＤの情報を、通信部３ｅを介して制御装置３０に送信する。
【００２５】
なお、制御部３ａは角度検出部８から入力される撮影部１の回転角度の情報に基づいて撮影部位及び撮影方向を判別する。回転角度の情報は、撮影部１が回転していない定位置の角度を０度として、例えば「−４５度」等、符号「−」で回転方向を示し、数字「４５」で回転角度を示す。符号は右回りに回転させた場合は「＋」、左回りに回転させた場合は「−」で表される。
【００２６】
図５（ａ）、（ｂ）を参照して具体的に説明する。図５（ａ）、（ｂ）は被写体側から圧迫板７と撮影台６を見た図である。
図５（ａ）に示すように、撮影部１が回転していない状態から左乳房の斜位方向を撮影するため、左周りに３０度回転させた場合、角度検出部８からは「−３０度」の回転角度の情報が入力されることとなる。また、図５（ｂ）に示すように、右乳房の斜位方向を撮影するため、右周りに３０度回転させた場合、角度検出部８からは「＋３０度」の回転角度の情報が入力されることとなる。
よって、制御部３ａは回転角度の符号が「−」である場合、撮影部位が左乳房であり、符号が「＋」である場合、撮影部位が右乳房であると判別する。また、回転角度が定位置から０〜１５度の場合は上下方向、１５〜７５度の場合は斜位方向、７５〜９０度の場合は内外方向と判別する。
【００２７】
入力部３ｂは、各種撮影条件を入力するためのキーを備えて構成され、操作されたキーに対応する操作信号を制御部３ａに出力する。例えば、管電圧、管電流の値、操作部１の回転角度の値を入力するための数字キー等の各種キーを備える。
【００２８】
なお、撮影したのは左乳房か右乳房かの撮影部位の情報を入力するための撮影部位キーや、撮影部１の回転角度を指示入力するための撮影方向キー等を備えることとしてもよい。撮影方向キーは、上下方向、内外方向、斜位方向と各撮影方向に応じたキーとし、例えば内外方向キーが押下されると、制御部３ａにおいて内外方向を撮影する回転角度で撮影部１を回転させる構成とする。この撮影方向キーを備えた場合、当該撮影方向キーの操作により指定された撮影方向を撮影実施情報に含めることとする。
【００２９】
表示部３ｃは、図２に示すようにＬＣＤ（Liquid Crystal Display）等からなる表示ディスプレイ３１ｃを備えて構成されている。表示部３ｃは、入力部３ｂからの入力情報、制御部３ａによる処理結果等の各種表示情報を表示ディスプレイ３１ｃに表示する。
【００３０】
メモリ３ｄは、制御部３ａで時刻する制御プログラム等の他、当該プログラムの実行に必要なパラメータやデータ等を記憶している。
【００３１】
通信部３ｃは、ネットワークインターフェイスカード等の通信用インターフェイスを備えて構成されている。通信部３ｃは、制御部３ａの制御に従って制御装置３０に接続して撮影後にカセッテＩＤ及び撮影実施情報を送信する。
【００３２】
ＩＤ読取部３ｆは、上述のように撮影台６に装着されたカセッテｃのカセッテＩＤの表示部分ｃ１からカセッテＩＤを読み取る。カセッテＩＤがバーコードである場合、ＩＤ読取部３ｆはバーコードリーダ等を備えて構成され、カセッテＩＤの表示部分ｃ１に表示されたバーコードをこのバーコードリーダの光走査によって読み取る。その後、読み取ったバーコードの情報を制御部３ａに出力する。なお、バーコード以外にもカセッテＩＤのデータを記憶する無線ＩＣタグを利用することとしてもよい。この場合、当該無線ＩＣタグをカセッテｃに設け、ＩＤ読取部は当該無線ＩＣタグからカセッテＩＤのデータを読み出す構成する。
【００３３】
次に、制御装置３０について説明する。
図６に、制御装置３０の構成を示す。
図６に示すように、制御装置３０は、制御部３１、入力部３２、表示部３３、通信部３４、記憶部３５、画像メモリ３６を備えて構成されている。
【００３４】
制御部３１は、ＣＰＵ、ＲＡＭ等から構成され、記憶部３６に記憶されている制御プログラムを読み出して、当該制御プログラムとの協働により演算を行ったり、各部３２〜３６の動作を集中制御したりする。
【００３５】
入力部３２は、キーボード、マウス等を含み、これらの操作に応じた操作信号を生成して制御部３１に出力する。
【００３６】
表示部３４は、ＬＣＤ等を含んで構成されている。表示部３４は、制御部３１の制御に従って、各種操作画面や乳房画像等を表示する。
【００３７】
通信部３４は、ネットワークインターフェイスカード等の通信用インターフェイスにより構成されている。通信部３４は、制御部３１の制御に従って、乳房画像撮影装置１０、読取装置５０その他ＨＩＳやＲＩＳ（Radiology Information System）等の外部装置と通信を行う。
【００３８】
記憶部３５は、磁気的又は光学的記録媒体、半導体メモリ等で構成されている。記憶部３５は、制御部３１が実行する制御プログラムの他、プログラムの実行に必要なパラメータ等のデータを記憶している。
【００３９】
記憶部３５は、撮影オーダ情報、カセッテＩＤ、撮影実施情報を管理するためのオーダファイル３５１を記憶している。
オーダファイル３５１には、図７に示すように、撮影オーダ情報を個別に識別するための識別情報（以下、オーダＩＤという）ごとに、撮影オーダ情報が記憶されている。撮影オーダ情報には、診察用の通常撮影のものとバイオプシー撮影のものがある。
通常撮影用の撮影オーダ情報には、撮影対象の患者のＩＤ、氏名等の患者に関する患者情報、撮影部位及び撮影方向、撮影日時等の撮影に関する撮影情報等が含まれている。
オーダファイル３５１では、この撮影オーダ情報に、撮影に用いられたカセッテｃのカセッテＩＤ、撮影実施情報が対応付けられている。
【００４０】
一方、バイオプシー撮影用の撮影オーダ情報には通常撮影用と同様に、患者情報及び撮影情報が含まれるが、その撮影部位及び撮影方向としてバイオプシー撮影によるスカウト撮影、ステレオ撮影が指定されている点で異なる。
【００４１】
画像メモリ３６は、磁気的又は光学的記録媒体、半導体メモリ等で構成されている。画像メモリ３６は、診察用に撮影された乳房画像やバイオプシー撮影による乳房画像等のデータを記憶している。
【００４２】
次に、読取装置５０について説明する。
読取装置５０は、カセッテｃに記録されている画像を読み取り、画像データを生成する。読取装置５０は、図示しないが制御部、操作部、表示部、通信部、記憶部、読取部等を備えて構成されている。
カセッテｃは筐体内に揮尽性蛍光体層が形成された蛍光体プレートが内蔵されたものである。撮影時には被写体を介して透過した放射線がこの蛍光体プレートによって吸収される。読取装置５０は読取部により装填されたカセッテｃの蛍光体プレートをレーザ光で走査して、蛍光体層が蓄積している放射線エネルギーを蛍光として放射させ、この蛍光を光電変換してアナログ画像信号（アナログ信号）を得る。
【００４３】
読取装置５０は、Ａ／Ｄ変換によってデジタル化した乳房画像のデータを生成する。
また、読取装置５０は乳房撮影装置１０と同様にＩＤ読取部を備え、カセッテｃの表示部分ｃ１からカセッテＩＤを読み取る。そして、乳房画像のデータとともに、このカセッテＩＤの情報を制御装置３０に送信する。
【００４４】
次に、上記乳房画像撮影システム１００の動作について説明する。
乳房画像撮影システム１００では、撮影モードとして２つのモードが用意されている。診察用に乳房画像の撮影を行う診察モードと、検体検査用にバイオプシー撮影を行う検査モードである。撮影前に、制御装置３０において撮影技師は何れの撮影モードで撮影を行うのかを選択操作することが可能である。
【００４５】
まず、図８を参照して、診察モードが選択された場合に実行される撮影処理について説明する。
図８に示すように、制御装置３０において、操作部３２を介して撮影技師により診察モードの選択操作が行われると（ステップＳ１）、制御部３１は診察モードに移行する旨の制御情報を生成し、通信部３４を介して乳房画像撮影装置１０に送信させる。乳房画像撮影装置１０では制御情報を受けて診察モードに移行する。
次いで、制御部３１は記憶部３５に記憶されたオーダファイル３５１に基づいて、撮影予定の患者の一覧を表示部３３上に表示させる（ステップＳ１）。
【００４６】
患者一覧の中から撮影対象の患者の選択操作が操作部３２を介してなされると（ステップＳ２）、制御部３１はオーダファイル３５１に基づいて、選択された患者の撮影オーダ情報を表示部３３上に表示させる。通常、乳房画像を撮影する場合には左右の乳房に対し、撮影方向を変えて撮影を行う。よって、ここでは選択された患者について、左乳房、右乳房のそれぞれについて内外方向、斜位方向の撮影が指示された４つの撮影オーダ情報があるとする。
【００４７】
図９に表示画面例を示す。
図９に示すように、制御部３１は表示画面ｄ１１において４つの撮影オーダ情報ごとに表示領域を設ける。この表示領域は撮影された乳房画像を表示するための画像領域ｄ１１１と撮影オーダ情報の内容を表示するためのオーダ領域ｄ１１２とに分ける。図９では、オーダ領域ｄ１１２に撮影オーダ情報で指定されている撮影部位及び撮影方向の情報を表示させているが、他の撮影オーダ情報の内容をさらに表示させることとしてもよい。
【００４８】
撮影技師は、表示された４つの撮影オーダ情報により撮影の内容（例えば、撮影予定の患者、撮影部位、撮影方向等）を確認する。そして、撮影に用いるカセッテｃを持って撮影室へ移動し、乳房画像撮影装置１０の撮影台６上にカセッテｃを装着する。そして、被写体である患者を撮影位置に立たせて撮影対象の撮影部位及び撮影方向を調整後、操作部３ｂを介して撮影指示の操作を行う。なお、４つの撮影オーダ情報のうち、どの順番で撮影を行っても良い。撮影技師は、撮影を終了するごとにカセッテｃを交換しながら撮影作業を繰り返し、４つの撮影オーダ情報によって指示された撮影を全て行う。
【００４９】
乳房画像撮影装置１０では、操作部３ｂを介して撮影指示がなされると、撮影部１が撮影を行う。また、ＩＤ読取部３ｆは装着されたカセッテｃのカセッテＩＤを読み取る。制御部３ａは撮影部１から撮影実施の結果の情報を取得して撮影実施情報を生成する。そして、制御部３ａは、撮影実施情報とともにＩＤ読取部３ｆによって読み取られたカセッテＩＤの情報を、通信部３ｅによって制御装置３０に送信させる（ステップＳ５）。
【００５０】
撮影技師は全ての撮影を終えると操作室へ移動し、撮影に用いたカセッテｃを順次読取装置５０に装填する。
読取装置５０は装填されたカセッテｃから乳房画像の読取処理を行う。また、カセッテｃのカセッテＩＤの読取を行う（ステップ６）。その後、読取装置５０は乳房画像のデータとともにカセッテＩＤの情報を制御装置３０に送信する（ステップＳ７）。これをカセッテｃが装填されるごとに繰り返し行う。
【００５１】
以上のようにして撮影、読取を経ることにより、制御装置３０には４撮影分の乳房画像と撮影実施情報が入力されることとなる。
制御装置３０では、制御部３１が、撮影実施情報に含まれる撮影部位及び撮影方向の情報と、ステップＳ２で選択された患者の撮影オーダ情報で指定されている撮影部位及び撮影方向とが一致するように、つまり撮影部位及び撮影方向を元に、撮影実施情報と撮影オーダ情報とを対応付ける。また、制御部３１が、乳房画像とともに送信されたカセッテＩＤと、撮影実施情報とともに送信されたカセッテＩＤとが一致するように、つまりカセッテＩＤを元に乳房画像と撮影実施情報を対応付ける。結果として、乳房画像、撮影実施情報、撮影オーダ情報の全てが対応付けられることとなる。
【００５２】
対応付けの後、制御部３１はオーダファイル３５１において撮影オーダ情報に対応する撮影実施情報、カセッテＩＤの情報を記憶させる。また、制御部３１は、乳房画像のヘッダ領域に撮影オーダＩＤ、撮影実施情報等を書き込む等して、乳房画像に撮影オーダ情報、撮影実施情報を付帯させ、これを画像メモリ３６に記憶させる（ステップＳ８）。
【００５３】
次いで、制御部３１は画像メモリ３６に記憶された乳房画像を読み出して、表示部３３上に表示させる（ステップＳ９）。すなわち、図９に示す表示画面ｄ１１が図９に示す表示画面ｄ１２に切り替わる。
表示画面ｄ１２では、乳房画像に対応付けられた撮影オーダ情報と、オーダ領域ｄ１１２に表示されている撮影オーダ情報とが一致する画像領域ｄ１１１に表示させる。このとき、オーダ領域ｄ１１２において撮影実施情報の内容を表示させることとしてもよい。
【００５４】
撮影技師は、この表示画面ｄ１によって乳房画像と撮影オーダ情報との対応関係を確認し、撮影オーダ情報に従って乳房画像が撮影されたと判断すると、次の患者の撮影に移行する。乳房画像撮影システム１００ではステップＳ１から処理を繰り返す。
【００５５】
次に、検査モードが選択された場合について、図１０を参照して説明する。
図１０に示すように、制御装置３０において、操作部３２を介して撮影技師により検査モードの選択操作が行われると（ステップＳ１１）、制御部３１は検査モードに移行する旨の制御情報を生成し、通信部３４を介して乳房画像撮影装置１０に送信させる。乳房画像撮影装置１０では制御情報を受けて検査モードに移行する。
次いで、記憶部３５に記憶されたオーダファイル３５１に基づいて、制御部３１はバイオプシー撮影の撮影オーダ情報の一覧を表示部３３上に表示させる。
【００５６】
図１１に、その表示画面ｄ２１の例を示す。
図１１に示すように、制御部３１は表示画面ｄ２１においてバイオプシー撮影ごとに表示領域を設ける。この表示領域をさらにバイオプシー撮影による乳房画像を表示するための画像領域ｄ２１１と、撮影オーダ情報を表示するオーダ領域ｄ２１２とに分ける。オーダ領域ｄ２１２ではバイオプシー撮影である旨を表示させる。
【００５７】
バイオプシー撮影では、スカウト撮影とステレオ撮影がセットで行われることが一般的であるので、ここでは一患者につきスカウト撮影の撮影オーダ情報とステレオ撮影の撮影オーダ情報がそれぞれ１つずつある場合を説明する。
【００５８】
撮影技師は、撮影に用いるカセッテｃを持って撮影室へ移動し、乳房画像撮影装置１０の撮影台６上にカセッテｃを装着する。そして、被写体である患者を撮影位置に立たせて左右の乳房のうち、何れかを撮影対象として撮影台６に設置するとともに撮影方向を調整する。
まず、撮影技師は採取針を挿入しないスカウト撮影の準備を行う。スカウト撮影では、内外方向（ＣＣ方向）で撮影を行うので、撮影部１の回転角度は０度である。バイオプシー撮影の場合は、採取針の付近のみの画像さえ撮影できれば足りるので、患者の被曝を抑えるため、照射野絞りを用いることとする。撮影の準備ができれば撮影技師は操作部３ｂを介して撮影指示の操作を行う。
【００５９】
乳房画像撮影装置１０では、操作部３ｂを介して撮影指示がなされると、撮影部１により撮影を行う。このとき、撮影実施情報の生成及びカセッテＩＤの読取を行わない。この点で診察モードと異なる。
【００６０】
撮影技師は、スカウト撮影を終えると、カセッテｃを交換しステレオ撮影の準備を行う。ステレオ撮影では、斜位方向で左から撮影を行った後、カセッテｃの位置をずらし、右から斜位方向で再度撮影を行う。同一のカセッテｃで２回撮影を行うこととなる。撮影部１の回転角度は例えば＋２０度、−２０度となる。照射野絞りを用いる点はスカウト撮影と同様であるが、ステレオ撮影の場合、１回目の撮影と２回目の撮影による放射線の照射が重複しないようにするためにも照射野絞りは必要となる。
乳房画像撮影装置１０では、操作部３ｂからの撮影指示に応じて撮影を繰り返し行う。
【００６１】
撮影技師は、スカウト撮影及びステレオ撮影が終了すると操作室へ移動し、撮影に用いたカセッテｃを読取装置５０に装填する。
読取装置５０は、装填されたカセッテｃから乳房画像の読取処理を行う。また、カセッテｃのカセッテＩＤの読取を行う（ステップＳ１４）。その後、読取装置５０は乳房画像のデータとともにカセッテＩＤの情報を制御装置３０に送信する（ステップＳ１５）。
【００６２】
以上のようにして撮影、読取を経ることにより、制御装置３０にはスカウト撮影及びステレオ撮影の乳房画像が順次入力されることなる。
制御装置３０では、制御部３１が、読取装置５０から取得された乳房画像を用いて、当該乳房画像がスカウト撮影によるものかステレオ撮影によるものかを判別する（ステップＳ１６）。まず、制御部３１は乳房画像における照射野領域を検出する。スカウト撮影及びステレオ撮影は照射野絞りによって放射線の照射領域が限定されているためである。
【００６３】
図１２に示す乳房画像Ｆ１１はスカウト撮影による乳房画像であり、図１３に示す乳房画像Ｆ１２はステレオ撮影による乳房画像である。符号Ｆ１１ａ、Ｆ２１ａ、Ｆ２１ｂで示す領域は照射野領域である。スカウト撮影は１カセッテｃを用いて１回の撮影が行われることからその照射野領域Ｆ１１ａは１つのみとなる。一方、ステレオ撮影は１カセッテｃを用いて２回の撮影が行われることから、乳房画像Ｆ２１には２つの照射野領域Ｆ２１ａ、Ｆ２１ｂが含まれることとなる。
【００６４】
何れの撮影においても、乳房画像の一辺に照射野領域が偏る。照射野領域は非照射野領域より画素値が大きいので、制御部３１は乳房画像の主走査方向（ｘ方向とする）及び副走査方向（ｙ方向とする）を走査し、画素値が閾値より大きい照射野領域Ｆ１１ａ、Ｆ２１ａ、Ｆ２１ｂが接する一辺を検出する。ここでは、照射野領域が接する一辺を下方に配置して処理を行うこととする。次いで、検出した一辺からｘ方向に３／８を占める画像部分のみ抽出する。その抽出画像がＦ１２、Ｆ２２である。
【００６５】
さらに、抽出画像Ｆ１２、Ｆ２２をｙ方向に２分割する。スカウト撮影の場合、照射野がカセッテｃのｙ方向中心部分となるように撮影位置を調整するが、ステレオ撮影の場合、１カセッテｃで２回分の撮影を行うため、各撮影の照射野の位置がｙ方向に均等に並ぶように調整することが多い。よって、スカウト撮影の場合の２分割した分割画像Ｆ１３は照射野領域Ｆ１１ａも２分割されて分割画像Ｆ１３の端部に位置することとなる。一方、ステレオ撮影の場合、左右の分割画像Ｆ２３には照射野領域Ｆ２１ａ又はＦ２１ｂがそのまま含まれる。
制御部３１は、この分割画像Ｆ１３、Ｆ２３において隣接画素同士の画素値を比較し、その差が閾値以上となるところを照射野領域Ｆ１１ａ、Ｆ２１ａ、Ｆ２１ｂのエッジとして検出する。
【００６６】
次いで、分割画像において照射野領域のｙ方向における長さｋを求める。長さｋはｙ方向で検出された照射野領域の２つのエッジ間の距離である。この長さｋが閾値以下となる場合、制御部３１はスカウト撮影による乳房画像Ｆ１１であると判断する。このときの閾値は、照射野絞りによってｙ方向に絞った領域の長さの７〜８割程度とする。つまり、閾値以下であれば照射野領域は照射野絞りによって絞った領域よりも小さいので、２分割されていると判断し、元の乳房画像はスカウト撮影による乳房画像Ｆ１１であると判別する。また、閾値以上となる場合には２分割されずに照射野絞りによって絞った領域がそのまま分割画像に含まれると判断できるので、この場合は元の乳房画像はステレオ撮影による乳房画像Ｆ２１であると判別する。
【００６７】
スカウト撮影かステレオ撮影かを判別すると、制御部３ａは読影に最適な階調となるように、乳房画像に階調変換処理、黒化処理等の画像処理を施す（ステップＳ１７）。
階調変換処理の前処理として、制御部３ａは基準値の決定を行う。基準値は、画像の濃度範囲を適正なものとするための基準となる画素値である。スカウト撮影の場合、制御部３ａは、図１４に示すように照射野領域Ｆ１１ａにおいて予め定められたＲＯＩ領域Ｒ１内で画素値のヒストグラムを求め、例えば低信号側及び高信号側から１０％等、所定の割合となるところの画素値を基準値として決定する。ステレオ撮影の場合、制御部３ａは照射野領域Ｆ２１ａ、Ｆ２１ｂのそれぞれにおいて予め定められたＲＯＩ領域Ｒ２、Ｒ３（図１４参照）内で画素値の平均値を求める。そして、何れか高い方のＲＯＩ領域Ｒ２又はＲ３において上述のように基準値を決定する。
【００６８】
基準値（低信号側をD1、高信号側をD2とする）を決定すると、制御部３１は基準値D1、D2を所望の濃度レベルS1、S2に変換する正規化処理を実行する。
その後、制御部３１は階調変換処理を行う。階調変換処理により濃度及びコントラストを調整することができる。具体的には、予め表示部３３の表示特性に応じて作成された階調変換曲線によるＬＵＴ（ルックアップテーブル）を用いて、濃度レベルS1、S2が出力濃度レベルT1、T2となるように画像画素値の変換を行う。この出力濃度レベルT1、T2は表示出力する際の所定の輝度（例えば、最低輝度、最高輝度）と対応するものである。
【００６９】
階調変換処理後、黒化処理を施す。
黒化処理とは、ビューア又はシャーカステンでの観察時、非画像部による眩惑を抑制するため、照射野領域以外の領域を低輝度（フィルムで読影する場合には高濃度）となるように塗りつぶす処理である。スカウト撮影やステレオ撮影では、全体の画像領域に比して照射野領域が小さい。非照射野領域は表示された際に高輝度（フィルムの場合は低濃度）で表されるため、乳房画像を表示すると、全体的に高輝度部分が広く占め、照射野領域の読影がしづらい状況となる。そこで、非照射野領域については画素値を低輝度（フィルムの場合は高濃度）の画素値に置き換える等して、乳房画像の表示時に低輝度で表示されるように処理を施す。
【００７０】
図１５に、黒化処理を施した後のスカウト撮影の乳房画像Ｆ１１を示す。
図１５に示すように、照射野領域Ｆ１１ａ以外の非照射野領域は黒く塗りつぶされることとなる。一方、照射野領域Ｆ１１ａについては、前記の階調変換処理により、読影に最適な階調とされている。
【００７１】
以上の画像処理を終了すると、制御部３１は表示部３３上に画像処理後の乳房画像を入力された順（乳房画像は読取装置５０で生成された順に入力されるので、入力順と生成順は一致する）に表示させる（ステップＳ１８）。すなわち、図１１に示す表示画面ｄ２１から表示画面ｄ２２に切り替える。
図１１に示すように、制御部３１は表示画面ｄ２２の乳房画像用の表示領域ｄ２１１に、スカウト撮影及びステレオ撮影の乳房画像をその取得順に表示させる。このとき、診察モードと異なり、撮影実施情報は入力されないため、各乳房画像につき撮影実施情報を表示することはしない。
また、制御部３１は各乳房画像に対応して、ステップＳ１６で判別された結果、つまり乳房画像の撮影がスカウト撮影かステレオ撮影かを表示させる。なお、スカウト撮影とステレオ撮影の乳房画像は、図１２、図１３に示したように、乳房画像に含まれる照射野領域が単数か複数かにより撮影技師が容易に区別できるので、判別結果を表示しない構成としてもよい。
【００７２】
撮影技師は、表示されたスカウト撮影、ステレオ撮影の乳房画像により病変部を確認すると、次に病変部手前に採取針を挿入したときのステレオ撮影、病変部に採取針を貫通させたときのステレオ撮影を、上記と同様に繰り返して行う。
乳房画像撮影システム１００では、撮影技師の撮影操作に応じてステップＳ１２からステップＳ１８の処理を繰り返し実行する。
【００７３】
以上のように、第１実施形態によれば、診察モード時には乳房画像撮影装置１０の制御部３ａが撮影実施情報を生成し、これをカセッテＩＤの情報とともに制御装置３０に送信する。制御装置３０には読取装置５０から乳房画像とカセッテＩＤの情報が入力されるので、制御部３１がカセッテＩＤの情報に基づいて撮影実施情報、撮影オーダ情報、乳房画像をそれぞれ対応付けて保存する。
一方、検査モードでは乳房画像撮影装置１０において制御部３ａは撮影実施情報の生成を停止する。制御装置３０の制御部３１は読取装置５０から入力される乳房画像をその生成順に表示させるのみで、撮影オーダ情報、撮影実施情報、乳房画像の対応付けは行わない。
【００７４】
従って、診察用の撮影時には診察モードを選択することにより、撮影オーダ情報、撮影実施情報、乳房画像をそれぞれ対応付けて保存することができる。これに対し、バイオプシー撮影の場合、検査モードを選択することにより撮影実施情報の生成を停止させることができる。
ステレオ撮影では１つの乳房画像に２回撮影が行われ、２つの撮影実施情報が生成されることとなるので、上記のように撮影実施情報の生成を停止することにより、乳房画像と撮影実施情報の対応付けが不明となることによってエラーが発生するのを回避することができる。
すなわち、診察モードのときのみ、撮影実施情報を用いて対応付けを行う構成としたので、乳房画像撮影システム１００によれば検査用の撮影にも対応することが可能となる。
【００７５】
また、検査モードでは読取装置５０から入力される乳房画像をその生成順に表示する。バイオプシー撮影による乳房画像は、乳房画像に含まれる照射野領域の数により、容易にスカウト撮影のものかステレオ撮影のものかが区別できる。よって、表示により撮影技師は各乳房画像についてスカウト撮影、ステレオ撮影を判別することができる。
【００７６】
なお、上述の説明は、本発明を適用した好適な一例であり、これに限定されない。
例えば、上述した説明では検査モードでは乳房画像撮影装置１０から撮影実施情報自体を生成、送信しない構成とした。これに限らず、何れの撮影モードであっても乳房画像撮影装置１０から撮影実施情報を生成して制御装置３０に送信する構成とし、検査モードのときは制御装置３０の制御部３１が撮影実施情報を無効とすることとしてもよい。これにより、ステレオ撮影の際に１枚の乳房画像に対し、２つの撮影実施情報が存在するという状態にあっても、対応付けができないという処理エラーが生じることはない。
【００７７】
また、バイオプシー撮影の場合、乳房画像からは左右何れの乳房が撮影されたのかを判断するのは困難である。よって、撮影実施情報を用いて左右何れの乳房が撮影されたのかを判別し、その情報を乳房画像とともに表示することとしてもよい。
【００７８】
この場合、図１６（ａ）、（ｂ）に示すように、撮影台６に被写体の位置を検出するためのセンサＰＳ１、ＰＳ２を設ける。センサＰＳ１、ＰＳ２は光センサ等を適用できる。左乳房を撮影する場合、図１６（ａ）に示すように、被写体である左乳房は撮影台６のセンサＰＳ２に近い位置に配置される。よって、センサＰＳ２による検出信号が入力される場合は左乳房が撮影対象であることが分かる。これに対し、図１６（ｂ）に示すように、右乳房を撮影する場合には撮影台６のセンサＰＳ１に近い位置に被写体（右乳房）が配置されるため、センサＰＳ１による検出信号が入力される場合は右乳房が撮影対象である。
【００７９】
よって、撮影ごとに当該センサＰＳ１、ＰＳ２による検出信号を撮影部１から制御部３ａに入力する構成とし、制御部３ａがこの検出信号に基づいて左乳房又は右乳房の何れが撮影されたのかを判別する。そして、左乳房が撮影されたと判別した場合には左乳房を示す判別情報（例えば、左乳房を示すコード「Ｌ」）を生成し、右乳房が撮影されたと判別した場合には右乳房を示す判別情報（例えば、右乳房を示すコード「Ｒ」）を生成する。制御部３ａは撮影ごとに判別情報を生成して制御装置３０に送信する。バイオプシー撮影は何れか一方の乳房に対して連続して行われるので、制御装置３０には各撮影につき同一の判別情報が送信されることとなる。
【００８０】
制御装置３０では、制御部３１が乳房画像撮影装置１０から送信される判別情報に基づいて、撮影対象となった乳房が左乳房か右乳房かを判断する。そして、図１１に示す表示画面ｄ２２のオーダ領域ｄ２２２において各乳房画像について撮影されたのは左乳房又は右乳房であるのかを表示させる。
【００８１】
このようにすることにより、撮影技師は表示画面ｄ２に表示された乳房画像について何れの乳房を撮影したのかを容易に判別することができ、乳房を取り違える等の間違いを防ぐことができる。
【００８２】
〈第２実施形態〉
第２実施形態では、ＦＰＤ（Flat Panel Detector）を用いて撮影を行う場合について説明する。
【００８３】
第２実施形態に係る乳房画像撮影システムは、第１実施形態に係る乳房画像撮影システム１００から読取装置５０を除く構成と同一である。カセッテｃに代えてＦＰＤを使用しているため、読取装置５０が不要となるからである。その他、乳房画像撮影装置１０及び制御装置３０の構成については同一であり、その動作が異なるのみであるので、第１実施形態と同一の構成部分については同一の符号を付し、異なる動作部分のみを説明する。すなわち、第２実施形態に係る乳房画像撮影システム１００は、乳房画像撮影装置１０と制御装置３０とが互いに接続されて構成されている。
【００８４】
ＦＰＤは、筐体内に基板を有しており、この基板上には照射された放射線を検出し、検出した放射線をその強度に応じた電気信号（画像信号）に変換する複数の変換素子がマトリクス状に配置されている。さらに、筐体内には当該画像信号をデジタル化して乳房画像データを生成する変換部と、当該乳房画像データを記憶するためのメモリ等を備えている。当該メモリに記憶された乳房画像データは、入力された順に出力される。
【００８５】
ＦＰＤを用いて撮影を行う場合、ＦＰＤは１撮影ごとに乳房画像のデータを生成し、メモリに格納する構成となっているので、カセッテのように位置をずらしてもう一度撮影を行うことにより、一つの乳房画像に２撮影分の照射野領域を含ませることができない。
【００８６】
次に、第２実施形態に係る乳房画像撮影システム１００の動作について説明する。
まず、図１７を参照して、診察モードが選択された場合の撮影処理の流れを説明する。
図１７に示すステップＳ４１、Ｓ４２は、第１実施形態において図８を参照して説明したステップＳ１、Ｓ２と同様の処理であるので、ここではステップＳ４３の処理から説明する。
【００８７】
撮影技師は、ＦＰＤを撮影台６に設置し、撮影オーダ情報の内容に応じた撮影作業を繰り返し行う。
乳房画像撮影装置１０では、操作部３ｂからの撮影指示に応じて、撮影部１が撮影を行う（ステップＳ４３）。撮影ごとにＦＰＤは乳房画像のデータを生成する。一方、制御部３ａは撮影ごとに撮影実施情報を生成する（ステップＳ４４）。制御部３ａは撮影ごとに生成される乳房画像を撮影実施情報とともに制御装置３０に送信させる。
【００８８】
制御装置３０では、制御部３１が撮影ごとに入力される乳房画像と撮影実施情報を、撮影オーダ情報に対応付ける（ステップＳ４６）。対応付けは、撮影実施情報に基づいて行う。すなわち、表示されている撮影オーダ情報のうち、撮影実施情報に含まれる撮影部位及び撮影方向の情報と一致する撮影オーダ情報を検索し、この撮影オーダ情報にその撮影実施情報、当該撮影実施情報とともに送信された乳房画像を対応付ける。具体的には、オーダファイル３５１において撮影オーダ情報に対応付けて撮影実施情報を書き込むとともに、乳房画像のヘッダ領域に撮影オーダ情報の内容を書き込む等して対応付けを行う。
【００８９】
次いで、制御部３１は、図９の表示画面ｄ１２に示すように、表示中の撮影オーダ情報に対応する表示領域ｄ１１１に乳房画像を表示させる（ステップＳ４８）。
【００９０】
次に、図１８を参照して検査モードの場合について説明する。
図１８に示すステップＳ５１からステップＳ５３までの処理は、第１実施形態において図１０を参照して説明したステップＳ１１からステップＳ１３までと同様であるので、ここでは説明を省略し、ステップＳ５４の処理から説明する。
【００９１】
撮影部１が撮影動作を行うごとに、ＦＰＤは乳房画像を生成する。一方、制御部３ａは撮影部１が撮影動作を行うごとに撮影実施情報を生成する（ステップＳ５４）。診察モードでは制御部３ａは角度検出部８から入力される回転角度情報に基づいて撮影部位及び撮影方向を判別し、これを撮影実施情報に含ませていたが、検査モードでは制御部３ａは撮影部位及び撮影方向を判別せずに、撮影実施情報に回転角度の情報をそのまま用いる。そして、制御部３ａがこの撮影実施情報を乳房画像とともに制御装置３０に送信する。つまり、スカウト撮影、ステレオ撮影（右）、ステレオ撮影（左）の撮影単位でそれぞれの乳房画像及び撮影実施情報が制御装置３０に送信されることとなる。
【００９２】
制御装置３０では、乳房画像及び撮影実施情報が順次入力されると、制御部３１は撮影実施情報に基づいて乳房画像がスカウト撮影又はステレオ撮影の何れによるものかを判別する（ステップＳ５６）。判別は、撮影実施情報に含まれる回転角度の情報に基づいて行う。例えばスカウト撮影の場合、回転角度は０度である。よって、撮影実施情報に含まれる回転角度が０度の乳房画像はスカウト撮影によるものと判別する。一方、ステレオ撮影の場合、右周りに回転させた場合、回転角度に「＋」の符号が、左周りに回転させた場合は「−」の符号が付されているはずである。よって、回転角度に「＋」、「−」の符号が付されている乳房画像はステレオ撮影のものであると判別する。このとき、ステレオ撮影の乳房画像は２枚あり、そのうち一方が「＋」、他方が「−」となるはずである。
【００９３】
次いで、制御部３１はステレオ撮影の乳房画像の合成処理を行う（ステップＳ５７）。まず、制御部３１は図１９に示すように、ステレオ撮影と判別した２枚の乳房画像において照射野領域Ｆ２１ａ、Ｆ２１ｂを検出する。次いで、図１９に示すように、検出した照射野領域Ｆ２１ａ、Ｆ２１ｂをそれぞれ乳房画像から抽出し、１枚の乳房画像上に合成する。このように合成するのは、カセッテによるステレオ撮影の場合、１枚の乳房画像中に２つの照射野領域が含まれていることが一般的であり、撮影技師もこの表示形態であれば一見してスカウト撮影又はステレオ撮影何れの乳房画像かを判別することができるからである。
【００９４】
合成を終えると、制御部３１はスカウト撮影、ステレオ撮影の各乳房画像に対して、階調変換処理、黒化処理等の画像処理を施す（ステップＳ５８）。これらの画像処理については第１実施形態において説明した通りである。
次いで、制御部３１は図１１の表示画面ｄ２２に示したように、画像処理した乳房画像を表示部３３上に表示させる（ステップＳ５９）。
【００９５】
以上のように、第２実施形態によれば、ＦＰＤを用いて撮影を行う場合、診察モード時には乳房画像撮影装置１０の制御部３ａが撮影実施情報を生成し、ＦＰＤで生成された乳房画像のデータとともに制御装置に送信する。制御装置３０の制御部３１がその撮影実施情報と乳房画像とを対応付けてそれぞれオーダファイル３５１、画像メモリ３６に記憶させる。一方、検査モード時には診察モード時と同様に乳房画像撮影装置１０から制御装置３０に撮影実施情報及び乳房画像が入力されるが、制御装置３０の制御部３１はこれらの対応付けは行わない。
【００９６】
また、検査モード時、制御装置３０の制御部３１は撮影実施情報に基づいて各乳房画像についてスカウト撮影、ステレオ撮影を判別し、ステレオ撮影の乳房画像については複数乳房画像が得られるので、これらを合成処理して１つの乳房画像とする。これにより、カセッテを用いてステレオ撮影を行ったときに得られる乳房画像と視覚的に類似させることができ、撮影技師にとって見た目にスカウト撮影かステレオ撮影かの区別がつきやすいものとなる。
【図面の簡単な説明】
【００９７】
【図１】第１実施形態における乳房画像撮影システムのシステム構成を示す図である。
【図２】図１の乳房画像撮影装置を示す図である。
【図３】カセッテとカセッテのＩＤを読み取るＩＤ読取部を示す図である。
【図４】乳房画像撮影装置の機能的構成を示す図である。
【図５】図２の撮影部の回転角度の検出について説明する図である。
【図６】図１の制御装置の機能的構成を示す図である。
【図７】図６の記憶部に記憶されるオーダファイルの一例を示す図である。
【図８】第１実施形態に係る乳房画像撮影システムの処理であって、診察モード時の処理の流れを説明するフローチャートである。
【図９】診察モード時の撮影オーダ情報及び乳房画像の表示例を示す図である。
【図１０】第１実施形態に係る乳房画像撮影システムの処理であって、検査モード時の処理の流れを説明するフローチャートである。
【図１１】検査モード時の撮影オーダ情報及び乳房画像の表示例を示す図である。
【図１２】スカウト撮影の乳房画像の判別方法を説明する図である。
【図１３】ステレオ撮影の乳房画像の判別方法を説明する図である。
【図１４】スカウト撮影及びステレオ撮影の乳房画像において決定したＲＯＩ領域を示す図である。
【図１５】黒化処理について説明する図である。
【図１６】左右何れの乳房画像が撮影されたかを判別する方法について説明する図である。
【図１７】第２実施形態に係る乳房画像撮影システムの処理であって、診察モード時の処理の流れを説明するフローチャートである。
【図１８】第２実施形態に係る乳房画像撮影システムの処理であって、検査モード時の処理の流れを説明するフローチャートである。
【図１９】ステレオ撮影の乳房画像の合成処理について説明する図である。
【符号の説明】
【００９８】
１００  乳房画像撮影システム
１０  乳房画像撮影装置
１  撮影部
６  撮影台
３ａ  制御部
３ｆ  ＩＤ読取部
３０  制御装置
３１  制御部
３５  記憶部
３５１  オーダファイル
５０  読取装置
ｃ  カセッテ
【図１】
2008220481.tif 000003
【図２】
2008220481.tif 000004
【図３】
2008220481.tif 000005
【図４】
2008220481.tif 000006
【図５】
2008220481.tif 000007
【図６】
2008220481.tif 000008
【図７】
2008220481.tif 000009
【図８】
2008220481.tif 000010
【図９】
2008220481.tif 000011
【図１０】
2008220481.tif 000012
【図１４】
2008220481.tif 000013
【図１６】
2008220481.tif 000014
【図１７】
2008220481.tif 000015
【図１８】
2008220481.tif 000016
【図１９】
2008220481.tif 000017
【図１１】
2008220481.tif 000018
【図１２】
2008220481.tif 000019
【図１３】
2008220481.tif 000020
【図１５】
2008220481.tif 000021